(57)【要約】【課題】コンタクトの座屈や破損が確実に防止されるカードコネクタ、およびそのカードコネクタに採用されるコンタクトを提供する【解決手段】コンタクト５０は、第１延在部５１と、折返し部５２と、第２延在部５３とを有する。第１延在部５１は、第１端５１１がハウジング４０に固定され、差し込まれてきたカードに押されて弾性変形するように挿抜方向に山なりに延びている。折返し部５２では、第２端５１２で横向きに折り返している。第２延在部５３は、折返し部５２で折り返し今度は第１端に５１１向かってさらに延びてハウジング４０に固定されている。そして、折返し部が、差し込まれたカードから離れる向きに折り曲げられた形状を有する。【選択図】図３
2016131110.tif 000002
【特許請求の範囲】
【請求項１】
挿抜方向奥向きに差し込まれてきたカードを受け容れる受容空間が形成されたハウジングと、該ハウジングに支持されたコンタクトとを備え、
前記コンタクトが、金属板の打抜きおよび曲げ加工を経て形成されたものであって、
前記ハウジングに第１端が固定され、差し込まれてきたカードに押されて弾性変形するように前記挿抜方向に交差する方向に膨出して延びる第１延在部と、
第２端で横向きに折り返した折返し部と、
前記折返し部で折り返し前記第１端に向かって延びて前記ハウジングに固定された第２延在部とを有し、
前記折返し部が、差し込まれたカードから離れる向きに折り曲げられた形状を有することを特徴とするカードコネクタ。
【請求項２】
前記第１延在部の前記第２端側が、二股に分岐して延びた形状を有し、
前記折返し部が、前記第１延在部の二股に分岐して延びた先端の第２端で、いずれもが横向きであって互いに逆向きに折り返した形状を有し、
前記第２延在部が、前記折返し部で互いに逆向きに折り返した双方が前記第１端に向かって延び、双方が前記ハウジングに固定されていることを特徴とする請求項１記載のカードコネクタ。
【請求項３】
金属板の打抜きおよび曲げ加工を経て形成され,挿抜方向奥向きに差し込まれてきたカードを受け容れる受容空間が形成されたハウジングに支持されるコンタクトであって、
前記ハウジングに第１端が固定され、差し込まれてきたカードに押されて弾性変形するように前記挿抜方向に交差する方向に膨出して延びる第１延在部と、
第２端で横向きに折り返した折返し部と、
前記折返し部で折り返し前記第１端に向かって延びて前記ハウジングに固定された第２延在部とを有し、
前記折返し部が、差し込まれたカードから離れる向きに折り曲げられた形状を有することを特徴とするコンタクト。
【発明の詳細な説明】
【技術分野】
【０００１】
本発明は、メモリカード等のカードが挿入されるカードコネクタ、およびそのコンタクトに関する。
【背景技術】
【０００２】
メモリカード等のカードは、同一機能あるいは追加機能を備えながら小型化されつつある。例えば、マイクロＳＩＭ（Ｓｕｂｓｃｒｉｂｅｒ  Ｉｄｅｎｔｉｔｙ  Ｍｏｄｕｌｅ）カードから、それよりも小型のナノＳＩＭカードに移行しつつある。以下では、マイクロＳＩＭカードとナノＳＩＭカードを例に挙げて説明する。
【０００３】
マイクロＳＩＭカードに適応したカードコネクタを搭載した機器でそれよりも小型のナノＳＩＭカードを使いたという要請がある。この使用法は、一般にはその機器を製造あるいは販売している、例えば携帯電話会社等の会社の保証外であり、ユーザの自己責任で行われている。この使用法では、アダプタが使用される。そのアダプタは、マイクロＳＩＭカード相当の寸法を有し、ナノＳＩＭカードを搭載できる形状となっている。そのアダプタにナノＳＩＭカードを搭載し、アダプタをマイクロＳＩＭカード用のカードコネクタに差し込む。こうすることにより、マイクロＳＩＭカード適応のカードコネクタでナノＳＩＭカードを使うことができる。
【０００４】
ここで、特許文献１には、カード挿抜方向奥側に自由端を有する片持ち梁状のコンタクトを備えたカードコネクタが開示されている。
【０００５】
上記の用途に使われるアダプタには寸法等の規格がない。このため、アダプタによっては、そのアダプタと、そのアダプタに装着されたナノＳＩＭカードとの間に段差が生じることがある。あるいは、ナノＳＩＭカードが装着されていない状態のアダプタがカードコネクタに差し込まれることもあり得る。そのような場合に、一旦差し込まれたアダプタをカードコネクタから抜き取ろうとしたときに、コンタクトの自由端がその段差に引っ掛かるおそれがある。コンタクトの自由端が段差に引っ掛かると、コンタクトが座屈あるいは破損し、カードコネクタの故障となるおそれがある。ユーザの自己責任とはいうものの、そのような故障のないカードコネクタが望まれる。
【０００６】
特許文献２には、片持ち梁形状を有し、自由端が二股に分かれたコンタクトが開示されている。このコンタクトの、二股に分かれた２本の自由端は互いに異なる長さを有する。すなわち、短い方の自由端を高くしておいてカードとの接続を担わせている。長い方の自由端は、カードの抜取り時にカードあるいはアダプタに当接して撓むことにより短い方の自由端を撓ませる。こうすることで、高さの高い短い方の自由端についても引っ掛かりが防止されることが期待される。
【先行技術文献】
【特許文献】
【０００７】
【特許文献１】特開２０１２−１２９０２８号公報
【特許文献２】特許第５５９４９１９号公報
【発明の概要】
【発明が解決しようとする課題】
【０００８】
上記の特許文献２に開示された、自由端が二股に分かれたコンタクトの場合、コンタクトの公差を厳密に管理する必要がある。また、使用中に、コンタクトの自由端が変形する可能性もあり、引っ掛かりを確実に防止するには信頼性が低い。
【０００９】
本発明は、上記事情に鑑み、コンタクトの座屈や破損が確実に防止されるカードコネクタおよびそのカードコネクタに採用されるコンタクトを提供することを目的とする。
【課題を解決するための手段】
【００１０】
上記目的を達成する本発明のカードコネクタは、
挿抜方向奥向きに差し込まれてきたカードを受け容れる受容空間が形成されたハウジングと、そのハウジングに支持されたコンタクトとを備え、
上記コンタクトが、金属板の打抜きおよび曲げ加工を経て形成されたものであって、
ハウジングに第１端が固定され、差し込まれてきたカードに押されて弾性変形するように挿抜方向に交差する方向に膨出して延びる第１延在部と、
第２端で横向きに折り返した折返し部と、
その折返し部で折り返し第１端に向かって延びてハウジングに固定された第２延在部とを有し、
上記折返し部が、差し込まれたカードから離れる向きに折り曲げられた形状を有することを特徴とする。
【００１１】
本発明のカードコネクタには、第１延在部の第１端と、折返し部で折り返して第１端に向かう第２延在部との双方がハウジングに固定されたコンタクトが採用されている。したがって、上記の引っ掛かりは本質的に回避され、コンタクトの座屈や破損が確実に防止される。このコンタクトは、上記の折返し部を有し、その折返し部が折り曲げられた形状を有する。このため、このコンタクトは、第１延在部がカードに押されると、その折返し部およびその周辺が撓む。この撓みにより、第１延在部が押されたことによる第１延在部の挿抜方向の伸長が吸収される。
【００１２】
ここで、本発明のカードコネクタにおいて、
第１延在部の第２端側が、二股に分岐して延びた形状を有し、
折返し部が、第１延在部の二股に分岐して延びた先端の第２端で、いずれもが横向きであって互いに逆向きに折り返した形状を有し、
第２延在部が、折返し部で互いに逆向きに折り返した双方が第１端に向かって延び、双方がハウジングに固定されていることが好ましい。
【００１３】
第１延在部の第２端側が二股に分岐して延び、折返し部においていずれもが横向きであって互いに逆向きに折り返すことで、第１延在部の伸びが左右均等に分散される。これにより、第１延在部が一層安定的に伸縮することができる。
【００１４】
また、上記目的を達成する本発明のコンタクトは、
金属板の打抜きおよび曲げ加工を経て形成され,挿抜方向奥向きに差し込まれてきたカードを受け容れる受容空間が形成されたハウジングに支持されるコンタクトであって、
ハウジングに第１端が固定され、差し込まれてきたカードに押されて弾性変形するように挿抜方向に交差する方向に膨出して延びる第１延在部と、
第２端で横向きに折り返した折返し部と、
折返し部で折り返し第１端に向かって延びてハウジングに固定された第２延在部とを有し、
上記折返し部が、差し込まれたカードから離れる向きに折り曲げられた形状を有することを特徴とする。
【発明の効果】
【００１５】
以上の本発明のカードコネクタおよびコンタクトによれば、コンタクトの座屈や破損が確実に防止される。
【図面の簡単な説明】
【００１６】
【図１】本発明の一実施形態としてのコネクタの外観斜視図である。
【図２】図１に示すカードコネクタに備えられている複数のコンタクトのうちの１本を示した斜視図である。
【図３】図２と同じ１本のコンタクトであって、モールド成形によりハウジングに埋め込まれている部分も示した斜視図である。
【図４】図２と同じ１本のコンタクトを、図２とは逆向きに示した斜視図である。
【図５】図１に示すカードコネクタに採用可能な、変形例としてのコンタクトを示した斜視図である。
【発明を実施するための形態】
【００１７】
以下、本発明の実施の形態を説明する。
【００１８】
図１は、本発明の一実施形態としてのカードコネクタの外観斜視図である。
【００１９】
このカードコネクタ１０は、回路基板（図示せず）に表面実装されるタイプのコネクタである。また、このカードコネクタ１０は、本発明にいうカードの一例であるマイクロＳＩＭカードが挿入されるコネクタである。
【００２０】
このカードコネクタ１０は、図１に示すように、ハウジング組立体２０と金属製のシェル３０とを有する。それらハウジング組立体２０とシェル３０との間には、マイクロＳＩＭカード（図示せず）が差し込まれるカード差込口１１が設けられている。マイクロＳＩＭカードは、カード差込口１１から矢印Ｆで示す向きに差し込まれる。ハウジング組立体２０には、カード差込口１１の奥に、差し込まれてきたマイクロＳＩＭカードを受容する受容空間２０Ａが形成されている。
【００２１】
ハウジング組立体２０は、ハウジング４０と、そのハウジング４０に対しインサート成形された複数のコンタクト５０とを有する。
【００２２】
図２は、図１に示すカードコネクタに備えられている複数のコンタクトのうちの１本を示した斜視図である。この図２には、ハウジングの、その１本のコンタクトの支持を担う部分も示されている。
【００２３】
また、図３は、図２と同じ１本のコンタクトであって、モールド成形によりハウジングに埋め込まれている部分も示した斜視図である。
【００２４】
さらに、図４は、図２と同じ１本のコンタクトを、図２とは逆向きに示した斜視図である。
【００２５】
これら図２〜図４に示す矢印Ｆは、図１に示す矢印Ｆとその向きが一致している。
【００２６】
このコンタクト５０は、金属板の打抜きおよび曲げ加工を経て形成されたものである。このコンタクト５０は、第１延在部５１と、折返し部５２と、第２延在部５３とを有する。第１延在部５１は、挿抜方向に山なりに、すなわち挿入方向に交差する方向に膨出して延びた形状を有する。この第１延在部５１は、矢印Ｆの向きに差し込まれてきたマイクロＳＩＭカード（不図示）に押されて弾性変形し、マイクロＳＩＭカードの裏面に設けられたパッド（図示せず）に弾性接触する。図３に示すように、この第１延在部５１の第１端５１１は、成形によりハウジング４０に固定されている。また、本実施形態における第１延在部５１は第１端５１１から離れた第２端５１２側が二股に分岐して延びた形状を有する。
【００２７】
また、折返し部５２は、第２端５１２で横向きに折り返した形状を有する。本実施形態においては、第１延在部５１が二股に分岐していることから、折返し部５２も２つに分かれている。そして、この折返し部５２は、２つに分かれたいずれもが横向きであって互いに逆向きに折り返した形状を有する。また、この折返し部５２は、差し込まれたマイクロＳＩＭカード（不図示）から離れる向き（図２〜図４に示す姿勢における下方）に折り曲げられた形状を有する。
【００２８】
また、第２延在部５３は、折返し部５２で折り返した後、今度は第１端５１１に向かってさらに延びて、成形によりハウジング４０に固定されている。本実施形態では、この第２延在部５３も２つ設けられていて、折返し部５２で互いに逆向きに折り返した双方が第１端５１１に向かって延びた形状を有する。そして、この第２延在部５３は、第１端５１１に向かって延びた双方がハウジング４０に固定されている。
【００２９】
ここで、図１に示すカードコネクタ１０にマイクロＳＩＭカードが差し込まれると、第１延在部５１の山なりに膨出した部分がマイクロＳＩＭカードに押される。すると、その第１延在部５１は、弾性変形により、平面視で矢印Ｆの向きに延びることになる。このとき、折返し部５２やその折返し部５２の近傍の部分も弾性変形して、第１延在部５１の矢印Ｆの向きへの延びを許容している。すなわち、これらの弾性変形により、第１延在部５１は、差し込まれてきたマイクロＳＩＭカードに適切な接触圧で接触する。
【００３０】
このように、本実施形態のカードコネクタ１０は、適度な弾性変形を許容しつつ、両持ち梁に近い形状となっている。このため、このカードコネクタ１０では、マイクロＳＩＭカードや、ナノＭカード用のアダプタへの引っ掛かりが本質的に回避される。したがって、このカードコネクタ１０では、コンタクト５０の座屈や破損が確実に防止される。
【００３１】
図５は、図１に示すカードコネクタ１０に採用可能な、変形例としてのコンタクトを示した斜視図である。ここでは、分かりやすさのため、図２〜図４と同じ符号を付して示し、相違点のみ説明する。
【００３２】
図２〜図４に示したコンタクト５０は、その折返し部５２が、下向きに直角に折り曲げられている。それに対し、この図５に示す変形例のコンタクト５０では、その折返し部５２は、斜め下向きに折り曲げられている。こうすることで、ハウジング４０の厚みを減らし、一層低背なカードコネクタを実現することができる。
【００３３】
なお、本実施形態では、第１延在部５１の第２端５１２側が二股に分岐し、これに伴い、折返し部５２および第２延在部５３もそれぞれ２つ設けられている。ただし、本発明では、第１延在部５１は二股に分岐している必要はなく、１本のままでもよい。したがって、折返し部５２および第２延在部５３も２つ設けられている必要はない。この折返し部５２は、横向きに左右のいずれか一方にのみ折り返していてもよい。したがって、第２延在部５３も一本のみであってもよい。
【００３４】
さらに、本実施形態では、マイクロＳＩＭカードは矢印Ｆの向きに差し込まれる。ただし、矢印Ｆとは逆向きに、すなわち第２端５１２側から、差し込まれるように構成してもよい。
【符号の説明】
【００３５】
１０    カードコネクタ
２０    ハウジング組立体
３０    シェル
４０    ハウジング
５０    コンタクト
５１    第１延在部
５１１  第１端
５１２  第２端
５２    折返し部
５３    第２延在部
【図１】
2016131110.tif 000003
【図２】
2016131110.tif 000004
【図３】
2016131110.tif 000005
【図４】
2016131110.tif 000006
【図５】
2016131110.tif 000007